(57)【要約】【課題】開閉自在とするオーブントースタの扉を、扉の後面に軸受け部を突出させ、該軸受け部に開閉の軸を設けるものであっても、扉とオーブントースタ本体との間に大きな隙間を発生させない。【解決手段】開放されたオーブントースタ本体１の前面に配置する開閉自在の扉２後面に突出させて軸受け部４を設け、軸受け部４に扉の幅方向に延びる支持軸３を軸支させる。支持軸３を門形のクランク状に形成し、両端を扉の軸受け部４に、中間の支持部３ａをオーブントースタ本体１の前部分に配置した軸受け部材５に支持させる。これにより、扉２を開閉するために回動する支点が二つ存在し、扉を支持している軸受け部４自体が、支持軸３の支持部３ａを中心として移動するため、扉２を閉じた状態で、オーブントースタ本体１と扉２との間の隙間を少なくすることができる。【選択図】  図１
2004353980.tif 000002
【特許請求の範囲】
【請求項１】
開放されたオーブントースタ本体の前面に配置する開閉自在の扉後面に突出させて軸受け部を設け、該軸受け部に扉の幅方向に延びる支持軸を軸支させるとともに、該支持軸をクランク状に形成することによって扉後面における軸支位置の軸心から離れた位置に軸心を有する支持部を形成し、該支持部をオーブントースタ本体の前部分に配置した軸受け部材に支持させることによって、扉の後面に設けた軸受け部と支持軸との軸支位置を中心とする回動と、オーブントースタ本体に配置した軸受け部材に支持された支持軸の支持部を中心とする回動とによって扉を開閉させることを特徴とするオーブントースタの扉開閉機構。
【請求項２】
オーブントースタ本体の前部分に配置する軸受け部材における支持軸の軸支位置が、前後に一定寸法を遊動可能としたことを特徴とする請求項１記載のオーブントースタの扉開閉機構。
【請求項３】
オーブントースタ本体の前部分に設ける軸受け部材は左右二箇所に配置し、該軸受け部材には長孔によって支持軸を軸支することによって前後方向に遊動可能とし、長孔に対して上方から支持軸を挿入することができる切欠部を形成するとともに、左右二箇所の軸受け部に形成する切欠部を前後方向に異なる位置に形成したことを特徴とする請求項２記載のオーブントースタの扉開閉機構。
【請求項４】
オーブントースタの前面に開閉自在に配置する扉は、常時後方に向けて弾性的に引っ張られていることを特徴とする請求項２又は３記載のオーブントースタの扉開閉機構。
【発明の詳細な説明】
【０００１】
【発明の属する技術分野】
この発明は、通常下端部を中心として回動してトースター本体の前面を開閉する、オーブントースタにおける扉の開閉機構に関する発明である。
【０００２】
【従来の技術】
オーブントースタの扉は、調理物の調理状態を見ることができるように、ガラス板を嵌め込んだ窓枠状に形成されている。この扉は、特許文献１にも開示されているように、前後に配置する金属製の枠体でガラス板を挟み込むことによって窓枠状に形成し、該金属製の枠体から側方にオーブントースタ本体に支持させるための支持軸を突出させている。すなわち、扉の厚みのほぼ中心位置に支持軸を配置し、回動操作によって扉を開閉可能としている。また、扉の支持軸は軸方向に出没可能とすることによってオーブントースタ本体から取り外すことができるようにしている。
【０００３】
その他、オーブントースタ本体の内部には、その上下にヒータを配置するとともに、上下のヒータの間に焼き網を配置し、焼き網上の調理物を加熱調理することができるようにしている。焼き網は、水平状態を維持して扉の開閉にともなってオーブントースタ本体から出没するように、焼き網の前端を扉の一部に係合させている。さらに、オーブントースタ本体内部の底面部分には、前方に引き出すことができる屑受け皿を配置し調理中に発生するパン屑などを随時取り除くことができるようにしている。
【０００４】
【特許文献１】
特開平８−４６６号公報（図４参照）
【０００５】
【発明が解決しようとする課題】
従来のオーブントースタの扉は、厚みのほぼ中心位置に支持軸を外側方に突出させる構造であるため、扉自体の厚みが厚くなり、薄い板状の扉を採用することができなかった。オーブントースタ用の扉として、薄い板状の扉を採用する場合には、扉の背面に軸受け部を突出させ、この軸受け部に支持軸を装着してオーブントースタ本体に軸支させる必要がある。したがって、支持軸の軸心と扉下端との距離が大きくなり、扉を開閉させるためには扉下端部に比較的大きな回動スペースを確保しておく必要がある。このことは、扉下端部において大きな隙間、具体的には屑受け皿と扉下端との間に比較的大きな隙間を生じ、見栄えが悪いとともに加熱効率が低下することになる。
【０００６】
上記、従来技術の欠点に鑑み本発明は、扉の後面に軸受け部を突出させて配置し、この軸受け部に扉の幅方向に延びる支持軸を軸支させ、該支持軸を扉の開閉軸とするものであっても、オーブントースタ本体との間に大きな隙間を設けておく必要がなく、見栄えよく構成することができるオーブントースタの扉の開閉機構を実現することを目的とするものである。
【０００７】
【課題を解決するための手段】
本発明は、オーブントースタ本体１の前面を開閉する扉２に、支持軸３を設けるために、扉２の後面に軸受け部４，４を突出させ、この軸受け部４，４に支持軸３を扉２の幅方向に配置し、軸支させる。そして、支持軸３をクランク状に形成することによって、支持軸には扉の後面に設けた軸受け部４との軸支位置の軸心から離れた位置に軸心を有する支持部３ａを形成し、このクランク状の支持部３ａをオーブントースタ本体１の前部分に配置した軸受け部材５に支持させる。すなわち、扉の支持軸３は、二つの支点を持つことになり、扉２と支持軸３の回動中心を移動させることによって、扉２下端とオーブントースタ本体１の底部に配置した屑受け皿６との間に、大きな隙間を形成することなく開閉可能とするものである。
【０００８】
オーブントースタ本体１の前部分に配置する、軸受け部材５における支持軸３の軸支位置は、前後方向に一定寸法を遊動可能とするとより効果的である。軸支位置が一定寸法を遊動可能とするには、オーブントースタ本体１の前部分に設ける軸受け部材５を左右二箇所に配置し、かつ軸受け部材５に長孔７を形成し、この長孔によって支持軸３の支持部３ａを軸支させることによって実現することができる。
【０００９】
支持軸３は、上記軸受け部材５の長孔７に対して着脱自在とすることによって、扉２を簡単に取り外すことができる。支持軸３を、長孔７に対して着脱可能なとするには、長孔７上方に切欠部８を形成しておくことによって、支持軸３を上方の切欠部８から長孔７に挿入することができる。このとき、図６に示すように、左右二箇所の軸受け部に形成する切欠部７，７を前後方向に異なる位置に形成しておくと、支持軸３の支持部３ａが妄りに外れることがなくなる。さらに、扉２は常時後方に向けて弾性的に引っ張られている構造とすることによって、扉の位置が安定する。
【００１０】
【発明の実施の形態】
以下、本発明に係る、オーブントースタの扉開閉機構の実施形態を、添付の図面に基づいて説明する。
図１は、本発明に係る扉開閉機構を備えたオーブントースタの縦断面図、図２は、扉を開けた状態のオーブントースタ全体の斜視図、図３は扉を閉じた状態の斜視図である。
【００１１】
オーブントースタは、外ケース１ａの内部を遮熱板１ｂで囲むことによって加熱室９を形成し、開放される前面に開閉自在の扉２を配置することによって加熱室を閉塞することができるようにしている。加熱室９の内部には、その上下にヒータ１０，１０を配置するとともに、ヒータ１０，１０の間にパンなどの調理物を載置するための焼き網１１を配置している。焼き網１１は、扉２の開閉に連動して、扉を開けたときに器外に引き出される。また、加熱室９の底面には、屑受け皿６を着脱自在に配置し、調理に伴って発生するパン屑などを、随時排出することができるようにしている。
【００１２】
開放されるオーブントースタ本体１の前面、すなわち加熱室９の前面に設ける扉２は、図４に示すように方形枠状の扉枠２ａと、扉枠２ａに装着するガラス板１２及び押え金具１３とで構成している。扉枠２ａは、その全体形状を平面的な方形枠に形成し、四辺の外周縁に立ち上がり片２ｂ，２ｂを形成している。四辺の立ち上がり片２ｂ，２ｂによってガラス板１２を保持する構造とすることによって厚みの薄い扉２を完成させている。この扉２は、従来の扉のように、ガラス板１２を前後から挟み込む構造ではないため、図３に示すように、正面が平面的なガラスで形成され、開放感のある斬新なデザインのオーブントースタとして完成させることができる。
【００１３】
上記、薄い構造の扉２の支持軸３は、扉の後面である扉枠２ａの後面下部において、左右両側に配置した軸受け部４に支持させる。支持軸３は、略門形のクランク状に形成することによって中間部分に支持部３ａを形成し、その両端部３ｂ，３ｂを軸受け部４，４に支持させる。一方、オーブントースタ本体１の前端部には、一定の間隔を隔てて左右両側に、図５に示す形状の軸受け部材５を前方に向けて固定しておき、この軸受け部材５に対して前記支持軸３の支持部３ａを支持させることによって扉２をオーブントースタ本体１に取り付ける。
【００１４】
軸受け部材５は、図５に示すように、前後方向に配置される板状の主体部５ａに前後方向の長孔７を設けるとともに、上縁から長孔７に通じる切欠部８を形成したもので、主体部５ａの一部に直角の切起こし片５ｂを形成してオーブントースタ本体１の前面にビス止めすることができるようにしている。軸受け部材５に形成する長孔７は、図５や図１からも理解されるように、後方に向けて下がるように傾斜させている。また、軸受け部材５主体部５ａの前端縁には、下端から一定の長さの範囲に折り返しを形成し、これによって細幅のガイド片５ｃを形成している。
【００１５】
扉２の後面には、前記支持軸３よりも上方位置に、焼き網１１と連結する連結杆１４を横幅方向に固定している。焼き網１１は水平状態を維持しながら前後方向に移動させることができる態様で、オーブントースタ本体１の加熱室９内に配置してある。そして、焼き網１１の前端部を折曲することによってに形成したフック部１１ａを、扉２の後面に設けた前記連結杆１４に係合させることによって、扉２の開閉にともなって焼き網１１が加熱室９から出没するように構成することができる。
【００１６】
焼き網１１の後端部は、焼き網支持片１５を焼き網の下面に固定した受け具１６に係合させることによって支持している。加熱室９の側壁から突出させた焼き網支持片１５は、図１において円弧状に現れるガイド溝１７に沿って移動可能であって、しかも円弧形状の後方に向けてバネ（図示されていない）によって付勢されている。焼き網下面に固定する受け具１６は、前方に向けて開放されるフック形状としている。
【００１７】
焼き網支持片１５が移動する軌跡、すなわちガイド溝１７の曲率半径は、扉の支持軸３から連結杆１４までの距離とほぼ等しいものとし、かつ回動の位相を一致させてある。したがって、焼き網１１の後端部は焼き網支持片１５によって、前端部は連結杆１４によってそれぞれ支持され、扉２の開閉にともなって水平状態を維持して加熱室９から出没する。さらに、焼き網支持片１５が後方に付勢されていることから、焼き網１１によって扉２は常に後方に引っ張られている。
その他、扉２の上端部前面には、扉を開閉するための把手１８が固定してある。
【００１８】
扉２を開閉する場合の支持軸３部分の機構の動きを図７及び図８に基づいて説明する。
図７は、扉２を閉じた状態であるが、扉２は焼き網１１を介して後方に引っ張られていることと、軸受け部材５の長孔７が後方に向けて下がる方向に傾斜していることによって、支持軸３の支持部３ａが長孔７の後方に支持される状態で安定している。なお、扉２は、支持軸３の軸支位置の回転中心Ｏ１と、支持部３ａの回転中心Ｏ２の二つの回転中心を備えていることになる。
【００１９】
図７に実線で示す状態から、扉２が開き始めると、図７に二点鎖線で示すように、少し傾いた状態で扉２の下端部が軸受け部材５の前端部、すなわちガイド片５ｃに当接する。この状態で、さらに扉２が開かれると、扉２の下端を支点として軸受け部４が前方に移動する。軸受け部４が前方に移動すると、軸受け部４に軸支されている支持軸３の両端部３ｂが前方に移動するが、その移動は、支持軸３の支持部３ａの移動可能な軌跡によって制限を受け、支持部３ａが長孔７の前方に移動する。このとき、扉２の下端部はガイド片５ｃ上を滑りながら上方に引き上げられて、図８に示す扉２の開放状態にいたる。すなわち、図８に示す扉２を開いた状態では、支持軸３の支持部３ａが軸受け部材５の長孔７前端部に支持され、扉２下端部が軸受け部材５前端のガイド片５ｃに支えられた状態で安定する。
【００２０】
扉２を閉じる場合は、前記場合とは逆に扉２は下端部のガイド片５ｃを支点として上方に回動し、扉２とガイド片５ｃの当接位置が下方に移動しつつ、回転中心Ｏ１と回転中心Ｏ２を中心として回動しながら図７に示す、元の位置に復帰する。このとき、扉２は焼き網を介した後方への引っ張り力によって扉を閉じた状態を安定的に維持する。
【００２１】
以上説明したように、扉２は支持軸３の支持部３ａが軸受け部材５の長孔７に係合することによって、オーブントースタ本体１に装着されていることになる。したがって、支持軸３の支持部３ａを軸受け部材５の長孔７から引き出せば、扉２を取り外して洗浄その他の取り扱いが可能となる。そのため、軸受け部材５の主体部５ａ上端縁から長孔７に通じる切欠部８を形成しておくことによって、扉２を自由に取り外すことができるようにする。
【００２２】
軸受け部材５に、長孔７に通じる切欠部８を設けることによって扉２を着脱することができるようにする場合、不用意に扉が外れるようでは支障がある。そこで図６に示すように、オーブントースタ前端部の二箇所に配置する軸受け部材５，５における切欠部８の位置を異ならせることによって、安定した装着状態を維持することができると同時に取り外し可能とすることができる。図６に示す実施形態は、図面上の左に位置する軸受け部材５に長孔７の前方部分に切欠部８を、図面上の右に位置する軸受け部材５に長孔７の後方部分に切欠部８を、それぞれ形成している。
【００２３】
図６に示す実施形態では、一方の軸受け部材５の長孔７に支持軸３の支持部３ａを挿入した後、扉を前後方向に移動させて、他方の軸受け部材５の長孔７に支持軸３の支持部３ａを挿入することによって扉２を装着することができる。扉２を取り外す場合は、上記装着の場合と逆の手順で取り外すことができる。
【００２４】
図示実施形態では、扉２と焼き網１１とを係合させているが、扉の着脱に際しては焼き網１１と扉２の係合を外しておく。焼き網１１を取り外したときには、扉２は支持軸３によってオーブントースタ本体１と係合された状態であり、図２からも理解されるように焼き網を取り外した状態においても、扉が支持軸３の支持部３ａにおいて支持されているため、不用意に扉２が脱落するようなことはなく、焼き網を取り外すことによってフリー状態となった扉を安心して着脱することができる。このことは、焼き網１１のみを取り外して洗浄する取り扱いや、焼き網と扉の係合を外し、焼き網を器内に保持させた状態で扉のみを取り外して洗浄するような取り扱いができるものである。なお、扉を支持する支持軸３は、門形に折曲させた両端部３ｂを外方に折曲させて軸受け部４に支持させているが、両端部３ｂを内方に折曲させて、軸受け部４に外側から挿入するものであってもよい。
【００２５】
【発明の効果】
請求項１記載の本発明オーブントースタの扉開閉機構によれば、扉後面に突出させて軸受け部を設け、この軸受け部に扉の幅方向に延びる支持軸を軸支させるとともに、支持軸をクランク状に形成し、該クランク状に形成した支持軸の支持部をオーブントースタ本体の前部分に配置した軸受け部材に支持さるようにした。これにより、扉を開閉するために回動する支点が二つ存在し、扉を直接支持して回動する扉と支持軸の軸受け部自体が移動する。すなわち、オーブントースタ本体と扉下端部との間に大きな隙間を形成しておかなくても扉を開閉させることができる。そのため、この扉の後面に支持軸の軸受け部を配置するオーブントースタを、隙間の少ない見栄え及び熱効率の良いものとして実現することができる。
【００２６】
請求項２記載の発明によれば、オーブントースタ本体の前部分に配置する軸受け部材における支持軸の軸支位置が、前後に一定寸法を遊動可能とする。したがって、支持軸の軸受け部の移動可能な範囲が大きくなり、より効果的に扉下端とオーブントースタ下端部との隙間が小さな状態を実現することができる。
【００２７】
請求項３記載の発明によれば、請求項２記載の発明を実施する上において、軸受け部材の長孔に切欠部を形成することによって扉を容易に着脱可能とすることができるとともに、左右の軸受け部材の長孔に対する切欠部の位置を異ならせることによって、不用意に扉が外れる可能性のないものとすることができる。
【００２８】
請求項４記載の発明によれば、扉を常時後方に引っ張っておくことにより、扉回動の支点を二つ備えることによる不安定さを解消し、常に安定した扉を閉じた状態を維持することができる。
【図面の簡単な説明】
【図１】本発明に係るオーブントースタの扉開閉機構を備えたオーブントースタの縦断面図、
【図２】扉を開けた状態のオーブントースタ全体の斜視図、
【図３】扉を閉じた状態のオーブントースタ全体の斜視図で、
【図４】扉を後方から見た分解斜視図、
【図５】オーブントースタ本体に設ける軸受け部材の斜視図、
【図６】扉を開けた状態の扉開閉機構の平面図、
【図７】扉を閉めた状態の扉開閉機構の縦断側面図、
【図８】扉を開けた状態の扉開閉機構の縦断側面図、
【符号の説明】
１…オーブントースタ本体、  １ａ…外ケース、  １ｂ…遮熱板、  ２…扉、  ２ａ…扉枠、  ２ｂ…立ち上がり片、  ３…支持軸、  ３ａ…支持部、  ３ｂ…両端部、  ４…軸受け部、  ５…軸受け部材、  ５ａ…主体部、  ５ｂ…切起こし片、  ５ｃ…ガイド片、  ６…屑受け皿、  ７…長孔、  ８…切欠部、  ９…加熱室、  １０…ヒータ、  １１…焼き網、  １２…ガラス板、  １３…押え金具、  １４…連結杆、  １５…焼き網支持片、  １６…受け具、  １７…ガイド溝、  １８…把手。
【図１】
2004353980.tif 000003
【図２】
2004353980.tif 000004
【図３】
2004353980.tif 000005
【図４】
2004353980.tif 000006
【図５】
2004353980.tif 000007
【図６】
2004353980.tif 000008
【図７】
2004353980.tif 000009
【図８】
2004353980.tif 000010